(57)【要約】【課題】  静止画の撮影に連動して当該静止画の撮影の直前の動画を記録するモードを具備する撮像装置において、静止画のレックレビュー表示中に関連する動画を再生してしまうことを抑制する。【解決手段】  制御部（１０１）は、撮像部（１１０）により撮像された静止画を記録再生部（１４０）を介して記録媒体（１４１）に記録する。静止画記録の後、制御部（１０１）は、記録媒体（１４１）から記録したばかりの静止画を再生して表示部（１３０）に所定時間、表示するレックレビューモードに入る。レックレビュー表示中では、制御部（１０１）は、関連する動画の再生を指示する操作を受け付けない。【選択図】  図１
2013258510.tif 000002
【特許請求の範囲】
【請求項１】
撮像指示に応じて静止画を撮像し、該撮像した静止画と撮像された動画とを関連づけて記録するように制御する記録手段と、
前記撮像指示に応じて撮像された静止画を、該撮像に続いて自動的に表示するレックレビュー表示を行うように制御する表示制御手段と、
前記レックレビュー表示で前記静止画を表示している際に、関連動画再生操作があっても該静止画に関連する前記動画を表示せず、複数の画像を画像送り操作に応じて順次表示することが可能な再生モードにおいて前記静止画を表示している際に、前記関連動画再生操作を受け付けると該静止画に関連する前記動画を表示するように制御する制御手段
とを有することを特徴とする撮像装置。
【請求項２】
撮像指示に応じて静止画を撮像し、該撮像した静止画と撮像された動画とを関連づけて記録するように制御する記録手段と、
前記撮像指示に応じて撮像された静止画を、該撮像に続いて自動的に表示するレックレビュー表示を行うように制御する表示制御手段と、
複数の画像を画像送り操作に応じて順次表示する再生モードにおいて前記静止画を表示している際に関連動画再生操作を受け付けると、該静止画に関連する前記動画を表示するように制御し、前記レックレビュー表示で前記静止画を表示している際に前記関連動画再生操作を受け付けた場合には、該静止画に関連する前記動画の表示を制限するように制御する制御手段
とを有することを特徴とする撮像装置。
【請求項３】
前記制御手段は、
前記レックレビュー表示で前記静止画を表示している際に前記関連動画再生操作を受け付けた場合には、該静止画に関連する前記動画の表示を行うか否かの確認表示を行い、前記動画の表示を行う旨の操作を受け付けた場合に前記動画の表示を行い、
前記静止画を表示している際に関連動画再生操作を受け付けると、前記確認表示を行うことなく、該静止画に関連付いた前記動画を表示する
ように制御することを特徴とする請求項２に記載の撮像装置。
【請求項４】
前記表示制御手段は、特定の操作が無いまま所定再生時間が経過した場合は前記レックレビュー表示を終了し、前記所定再生時間が経過する前に前記特定の操作を受け付けた場合は前記レックレビュー表示を前記所定再生時間を超えても行うように制御し、
前記制御手段は、前記レックレビュー表示中の、前記所定再生時間が経過する前でかつ前記特定の操作を受け付けていない場合には前記関連動画再生操作があっても前記静止画に関連付いた前記動画を表示せず、前記レックレビューを表示してから前記特定の操作を受け付けた後には前記関連動画再生操作を受け付けたことに応じて前記静止画に関連する前記動画を表示するように制御する
ことを特徴とする請求項２または３に記載の撮像装置。
【請求項５】
前記制御手段は、前記レックレビュー表示で前記静止画を表示している際に、所定時間以上の前記関連動画再生操作を受け付けた場合には、該静止画に関連する前記動画の表示を行うように制御し、前記レックレビュー表示で前記静止画を表示している際に、前記関連動画再生操作が所定時間未満しか行われなかった場合には、該静止画に関連する前記動画の表示を行わないことを特徴とする請求項２乃至４の何れか１項に記載の撮像装置。
【請求項６】
前記制御手段は、前記レックレビュー表示で前記静止画を表示している際に前記関連動画再生操作を受け付けたことに応じて該静止画に関連する前記動画の再生表示を行う場合には、動画再生表示中を示す表示であって、前記再生モードにおいて前記動画の再生表示を行う場合とは異なる表示を行うことを特徴とする請求項２乃至５のいずれか１項に記載の撮像装置。
【請求項７】
前記表示制御手段は、前記撮像指示を受け付ける前の撮影待機状態において、撮像手段によって撮像されている画像をライブ表示するスルー画像表示を行うように制御し、前記レックレビュー表示の終了後に自動的に前記スルー画像表示を行うように制御することを特徴とする請求項１乃至６のいずれか１項に記載の撮像装置。
【請求項８】
前記記録手段によって前記静止画と関連づけて記録される動画は、前記静止画を撮像する撮像指示の前の所定時間に撮像された画像を含む動画であることを特徴とする請求項１乃至７のいずれか１項に記載の撮像装置。
【請求項９】
前記レックレビュー表示中には、前記画像送り操作が行われても、表示されている画像が切り替わらないことを特徴とする請求項１乃至８のいずれか１項に記載の撮像装置。
【請求項１０】
撮像指示に応じて静止画を撮像し、該撮像した静止画と撮像された動画とを関連づけて記録するように制御する記録ステップと、
前記撮像指示に応じて撮像された静止画を、該撮像に続いて自動的に表示するレックレビュー表示を行うように制御する表示制御ステップと、
前記レックレビュー表示で前記静止画を表示している際に、関連動画再生操作があっても該静止画に関連する前記動画を表示せず、複数の画像を画像送り操作に応じて順次表示する再生モードにおいて前記静止画を表示している際に、前記関連動画再生操作を受け付けると該静止画に関連する前記動画を表示するように制御する制御ステップ
とを有することを特徴とする撮像装置の制御方法。
【請求項１１】
撮像指示に応じて静止画を撮像し、該撮像した静止画と撮像された動画とを関連づけて記録するように制御する記録ステップと、
前記撮像指示に応じて撮像された静止画を、該撮像に続いて自動的に表示するレックレビュー表示を行うように制御する表示制御ステップと、
複数の画像を画像送り操作に応じて順次表示する再生モードにおいて前記静止画を表示している際に関連動画再生操作を受け付けると、該静止画に関連付いた前記動画を表示するように制御し、前記レックレビュー表示で前記静止画を表示している際に前記関連動画再生操作を受け付けた場合には、該静止画に関連する前記動画の表示を制限するように制御する制御ステップ
とを有することを特徴とする撮像装置の制御方法。
【請求項１２】
コンピュータを、請求項１乃至９のいずれか１項に記載された撮像装置の各手段として機能させるプログラム。
【請求項１３】
コンピュータを、請求項１乃至９のいずれか１項に記載された撮像装置の各手段として機能させるプログラムを格納したコンピュータが読み取り可能な記憶媒体。
【発明の詳細な説明】
【技術分野】
【０００１】
本発明は、静止画に関連づけて動画を記録し、再生する機能を有する撮像装置並びにその制御方法及びプログラムに関する。
【背景技術】
【０００２】
近年、デジタルカメラにおける動画撮影機能の充実に伴い、一台の撮像装置で静止画と動画の両方を容易に楽しむことが可能になっている。特許文献１には、一度のレリーズ操作により静止画と静止画撮影直前の動画とを記録するとともに、その動画と静止画の関連付け情報を記録する撮像装置が記載されている。この撮像装置は、静止画再生時に、当該静止画に関連付けられた動画がある場合、動画再生メニューを表示し、ユーザによる再生指示に応じて関連する動画を再生する。これにより、ユーザは、静止画の撮影状況を動画により確認できるようになる
【先行技術文献】
【特許文献】
【０００３】
【特許文献１】特開２００２−３００４４５号公報
【発明の概要】
【発明が解決しようとする課題】
【０００４】
デジタルカメラは記録した画像を記録直後に一定時間、再生してユーザが記録画像を視覚的に確認できるようにする表示モードを具備する。このような動作又は表示は、レックレビュー表示と呼ばれる。
【０００５】
レックレビュー表示モードを具備するデジタルカメラに特許文献１に記載の技術をそのまま組み込むと、次のような問題点がある。すなわち、レックレビュー表示の際にユーザが関連動画再生指示を入力すると、表示されている動画が、レックレビュー終了後のライブ画像か、関連する動画かをユーザが勘違いして混乱してしまう。
【０００６】
本発明は、このような問題点を解決する撮像装置並びにその制御方法及びプログラムを提示することを目的とする。
【課題を解決するための手段】
【０００７】
本発明に係る撮像装置は、撮像指示に応じて静止画を撮像し、該撮像した静止画と撮像された動画とを関連づけて記録するように制御する記録手段と、前記撮像指示に応じて撮像された静止画を、該撮像に続いて自動的に表示するレックレビュー表示を行うように制御する表示制御手段と、前記レックレビュー表示で前記静止画を表示している際に、関連動画再生操作があっても該静止画に関連する前記動画を表示せず、複数の画像を画像送り操作に応じて順次表示することが可能な再生モードにおいて前記静止画を表示している際に、前記関連動画再生操作を受け付けると該静止画に関連する前記動画を表示するように制御する制御手段とを有することを特徴とする。
【発明の効果】
【０００８】
本発明によれば、再生中の静止画と関連を有する動画を、容易に再生可能な再生方法を提供しつつ、かつ、レックレビュー中の誤動作を防ぐ、またはレックレビュー中の誤動作を容易に判断可能にすることができる。
【図面の簡単な説明】
【０００９】
【図１】本発明の一実施例の概略構成ブロック図である。
【図２】ムービーダイジェストモードにおける撮影記録処理を示すフローチャートである。
【図３】静止画と関連する動画の撮影シーケンス例と記録例示す模式図である。
【図４】関連動画の再生指示に対する確認画面例である。
【図５】レックレビューからの関連動画再生を通知する表示例である。
【発明を実施するための形態】
【００１０】
以下、図面を参照して、本発明の実施例を詳細に説明する。ただし、本発明は以下の実施例に限定されない。以下に説明する実施例は、本発明の好ましい形態を示す説明用であり、発明の範囲を限定するものではない。
【実施例１】
【００１１】
図１は、本発明に係る撮像装置の一実施例の概略構成ブロック図を示す。ここでは、撮像装置の実施例としてデジタルカメラを例にとって説明するが、これ以外にも携帯電話に組み込まれるカメラなどであってもよい。
【００１２】
図１に示す撮像装置１００は、動画及び静止画を別々にも同時にも記録可能である。撮像装置１００は、静止画記録の指示入力に応じて、静止画を撮像して記録するとともにその静止画記録指示の入力より前の所定秒数の動画を記録するムービーダイジェストモードを具備する。このムービーダイジェストモードではまた、先行してムービーダイジェストモードで記録された動画に、今回の動画を結合して一体的な動画とする。
【００１３】
制御部１０１は、例えば、ＣＰＵ（ＭＰＵ）、ＲＯＭ及びＲＡＭなどからなり、ＲＯＭに格納される各種処理プログラムをＲＡＭにロードして実行することで撮像装置１００の各ブロックを制御し、各ブロック間でのデータ転送を制御する。制御部１０１は、ユーザからの操作を受け付ける操作部１０２からの操作信号に応じて、撮像装置１００の各ブロックを制御する。制御部１０１は、画像処理部１１１によって得られる画像信号を解析し、その解析結果に応じて撮像装置１００の各ブロックを制御する。
【００１４】
操作部１０２は、例えば、電源ボタン、静止画記録ボタン、動画記録開始ボタン、ズーム調整ボタン及びオートフォーカスボタンなどの撮影に関連する各種操作を入力するスイッチ類からなる。操作部１０２は更に、動画ジャンプボタン、レックレビュー継続ボタン、決定ボタン、その他カーソルキー、ポインティングデバイス及びタッチパネル等を有する。操作部１０２は、ユーザによりこれらのキーやボタンが操作されると、制御部１０１に対応する内容の操作信号を送信する。
【００１５】
バス１０３は、各種データ、制御信号及び指示信号などを撮像装置１００の各ブロックに送るための汎用バスである。
【００１６】
撮像部１１０は、ＣＣＤセンサやＣＭＯＳセンサ等の撮像素子と、レンズにより取り込まれた被写体の光学像を撮像素子に入射する撮影レンズと、入射光量を制限する絞りを具備する。撮像部１１０は、撮像素子による画像信号をデジタル信号に変換して画像処理部１１１に供給する。
【００１７】
画像処理部１１１は、撮像部１１０からのデジタル画像信号に、設定値に基づきホワイトバランス、色及び明るさなどを調整する画質調整処理を行う。制御部１０１は、画像処理部１１１で処理された画像信号を、メモリ１０４、映像出力部１５０及び表示制御部１３１に転送する。
【００１８】
例えば、撮像部１１０は、光学ズーム機能及び光学防振機能を有し、画像処理部１１１は電子ズーム機能及び電子防振機能を有している。制御部１０１は、状況及びユーザの設定に応じて、これらの機能を同時又は交互に作用させ、更には単独で作用させる。
【００１９】
光学ズーム機能は、ユーザが操作部１０２のズームキーを操作すると、制御部１０１が、撮像部１１０のレンズを移動させ、取り込まれる被写体の光学像を拡大／縮小する機能である。電子ズーム機能は、ユーザが操作部１０２のズームキーを操作すると、制御部１０１が画像処理部１１１に撮像部１１０からの画像信号から一部を切り出して拡大した画像の画像信号を生成する機能である。光学防振機能は、不図示の振動検出部により検出される加速度値に基づいて、レンズの移動量を算出し、レンズを移動させることで、撮影画像の揺れを防止する機能である。電子防振機能は、不図示の振動検出部により検出される加速度値に基づいて、撮像部１１０により取得された画像信号の画面方向での位置を調整することにより、画像の揺れを防止する機能である。電子防振機能は、振動検出部により検出される加速度値に基づいて、撮像部１１０の撮像素子における読み出し位置をずらすことによっても実現できる。これらの機能は公知の技術であるので、詳細な説明は省略する。
【００２０】
音声入力部１２０は、例えば、内蔵された無指向性のマイクまたは音声入力端子を介して接続された外部マイク等により撮像装置１００の周囲の音声を音響／電気変換し、デジタル信号に変換して音声処理部１２１に出力する。音声処理部１２１は、入力されたデジタル音声信号のレベルの適正化処理等の音声処理を行う。音声処理部１２１で処理された音声信号は、制御部１０１によりメモリ１０４に転送される。メモリ１０４は、画像処理部１１１及び音声処理部１２１からの画像信号及び音声信号を一時記憶する。
【００２１】
画像処理部１１１及び音声処理部１２１は、メモリ１０４に一時記憶された画像信号及び音声信号を読み出してそれぞれを符号化し、圧縮画像信号及び圧縮音声信号等を生成する。制御部１０１は、これらの圧縮画像信号及び圧縮音声信号を記録再生部１４０に転送する。記録再生部１４０は、画像処理部１１１及び音声処理部１２１からの圧縮画像信号及び圧縮音声信号、並びに制御部１０１からのその他撮影に関する制御データ等を記録媒体１４１に記録する。
【００２２】
音声信号を圧縮符号化しない場合、制御部１０１は、音声処理部１２１からの音声信号と画像処理部１１１からの圧縮画像信号とを記録再生部１４０に転送し記録媒体１４１に記録させる。以下の説明では、特に断らない限り、記録媒体１４１に記録される圧縮音声信号は、非圧縮の音声信号である場合を含む。
【００２３】
記録媒体１４１は、撮像装置１００に内蔵された記録媒体でも、取外し可能な記録媒体でもよく、撮像装置１００で生成した圧縮画像信号、圧縮音声信号及び各種データなどを記録することができればよい。例えば、記録媒体１４１は、ハードディスク、光ディスク、光磁気ディスク、ＣＤ−Ｒ、ＤＶＤ−Ｒ、磁気テープ、不揮発性の半導体メモリ又はフラッシュメモリなどのあらゆる方式の記録媒体を含む。
【００２４】
また、記録再生部１４０は、記録媒体１４１に記録された圧縮画像信号、圧縮音声信号、各種データ及びプログラムを読み出す（再生する）ことができる。制御部１０１は、記録再生部１４０により読み出された圧縮画像信号及び圧縮音声信号をそれぞれ画像処理部１１１及び音声処理部１２１に転送する。画像処理部１１１及び音声処理部１２１はそれぞれ、圧縮画像信号及び圧縮音声信号をメモリ１０４に一時記憶させ、所定の手順で復号化する。復号化された音声信号は音声出力部１５１に、復号化されたた画像信号は映像出力部１５０又は表示制御部１３１に供給される。また、非圧縮の音声信号が記録媒体１４１に記録されている場合、制御部１０１は、音声信号をメモリ１０４から音声出力部１５１に直接転送する。
【００２５】
音声出力部１５１は、例えば音声出力端子からなり、接続されたイヤホンやスピーカ等に音声信号を出力する。音声出力部１５１は、撮像装置１００に内蔵され、音声信号を音響出力するスピーカであってもよい。映像出力部１５０は、例えば映像出力端子からなり、接続された外部ディスプレイ等に画像信号を出力する。音声出力部１５１と映像出力部１５０は、統合された１つの端子、例えばＨＤＭＩ（High-Definition Multimedia Interface）（登録商標）端子のような端子であってもよい。
【００２６】
表示制御部１３１は、画像処理部１１１から供給される画像信号による画像、及び、撮像装置１００の操作をするための操作画面（メニュー画面）等を表示部１３０に表示させる。表示部１３０は、例えば、液晶ディスプレイ、有機ＥＬディスプレイ又は電子ペーパー等の表示デバイスである。
【００２７】
外部装置通信部１５２は、例えばシリアル通信コネクタからなり、外部ストロボや外部マイクを接続でき、着脱検知用のスイッチも含んでいる。ＵＳＢコネクタやＩＥＥＥ１３９４コネクタ等を外部装置通信部１５２として利用でき、コンピュータ等と接続して画像データを通信することが可能である。その他の無線通信手段でもよい。
【００２８】
撮像装置１００の基本動作を説明する。ユーザが操作部１０２の電源ボタンを操作すると、操作部１０２から制御部１０１に起動の指示が出される。この指示を受けて、制御部１０１は、不図示の電源供給部を制御して、撮像装置１００の各ブロックに電源を供給させる。
【００２９】
電源が供給されると、制御部１０１は、例えば、操作部１０２のモード切り換えスイッチが例えば静止画撮影モード、動画撮影モード及び再生モード等のどのモードを指示しているかを操作部１０２からの指示信号により確認する。
【００３０】
静止画撮影モードでは、撮像装置１００は撮影待機状態にあり、ユーザが操作部１０２の静止画記録ボタンを操作することで撮像部１１０による撮像を行い、圧縮画像信号が記録媒体１４１に記録される。記録後に再び撮影待機状態になる。
【００３１】
動画撮影モードでは、撮像装置１００は撮影待機状態にあり、ユーザが操作部１０２の動画記録開始ボタンを操作することで撮像部１１０による撮像が開始し、圧縮画像信号と圧縮音声信号からなる動画が記録媒体１４１に記録される。ユーザが操作部１０２の動画記録終了ボタンを操作することで撮像が終了し、再び撮影待機状態になる。
【００３２】
再生モードでは、ユーザが選択したファイルに関する圧縮画像信号又は圧縮音声信号を記録媒体１４１から再生し、音声出力部１５１から音声信号を出力し、表示部１３０に画像を表示させる。
【００３３】
静止画撮影モードでの動作を詳細に説明する。操作部１０２により静止画撮影モードが設定されるとまず、制御部１０１は、撮像装置１００の各ブロックを撮影待機状態に設定させる。撮影待機状態では、画像処理部１１１は、画像信号を表示制御部１３１に供給し、表示部１３０に画像信号が示す画像を表示させる。ユーザは、この様にして表示された画面を見ながら、撮影の準備を行う。すなわち、撮像部１１０によって撮像されている画像をライブ表示するスルー画像表示になっている。
【００３４】
撮影待機状態で、ユーザが操作部１０２の静止画記録ボタンを操作することにより撮像指示が制御部１０１に入力する。制御部１０１は、この撮像指示に従い、撮像装置１００の各ブロックを以下のような動作をさせるように制御する。すなわち、撮像部１１０は、撮影レンズにより取り込まれた被写体光学像を撮像素子により画像信号に変換し、アナログデジタル変換し、画像処理部１１１に出力する。画像処理部１１１は、撮像部１１０からのデジタル画像信号に、設定値に従い画質調整処理（ホワイトバランスや色、明るさなど）を施す。画像処理部１１１で処理された画像信号は、制御部１０１によりメモリ１０４、映像出力部１５０及び表示制御部１３１に転送される。ユーザは、表示部１３０に表示された画像を見ることで、ユーザは撮影した静止画を視覚的に確認できる。
【００３５】
画像処理部１１１は、メモリ１０４に一時記憶された画像信号を読み出して上述の符号化を行って圧縮画像信号を生成し、記録再生部１４０に出力する。記録再生部１４０は、ＵＤＦ又はＦＡＴ等のファイルシステム管理のもとに、圧縮画像信号を静止画ファイルとして記録媒体１４１に書き込む。
【００３６】
制御部１０１は、画像処理部１１１による符号化の動作が終了すると、撮影待機状態への移行を指示する制御信号を撮像装置１００の各ブロックに供給し、撮影待機状態に戻る。
【００３７】
動画撮影モードでの動作を詳細に説明する。操作部１０２により動画撮影モードが設定されると、まず、制御部１０１は、撮像装置１００の各ブロックを撮影待機状態に設定する。撮影待機状態では、画像処理部１１１は、画像信号を表示制御部１３１に供給し、表示部１３０に画像信号の画像を表示させる。ユーザはこの様にして表示された画面を見ながら、撮影の準備を行う。
【００３８】
撮影待機状態でユーザが操作部１０２の動画記録開始ボタンを操作することにより、撮像開始指示が制御部１０１に入力する。制御部１０１は、この撮像開始指示に応じて、撮像装置１００の各ブロックを、以下のような動作をするように制御する。撮像部１１０は、撮影レンズにより取り込まれた被写体光学像を撮像素子により画像信号に変換し、アナログデジタル変換し、画像処理部１１１に出力する。画像処理部１１１は、撮像部１１０からのデジタル画像信号に、設定値に従い画質調整処理（ホワイトバランスや色、明るさなど）を施す。画像処理部１１１で処理された画像信号は、制御部１０１によりメモリ１０４及び表示制御部１３１に転送される。表示制御部１３１は、入力する画像信号の表示部１３０に表示させる。表示部１３０に表示される画像により、ユーザは、撮影視野内の構図を視覚的に確認できる。
【００３９】
一方、音声入力部１２０は、マイクにより得られたアナログ音声信号をデジタル変換し、得られたデジタル音声信号を音声処理部１２１に供給する。音声処理部１２１は、音声入力部１２０からのデジタル音声信号のレベルを適正化処理する。制御部１０１は、音声処理部１２１により処理された音声信号をメモリ１０４に転送する。
【００４０】
画像処理部１１１及び音声処理部１２１は、メモリ１０４に一時記憶された画像信号と音声信号を読み出してそれぞれ符号化して、圧縮画像信号と圧縮音声信号を生成する。制御部１０１は、生成された圧縮画像信号と縮音声信号を所定のフォーマットで多重してデータストリームを形成し、記録再生部１４０に出力する。記録再生部１４０は、ＵＤＦ又はＦＡＴ等のファイルシステム管理のもとに、データストリームを一つの動画ファイルとして記録媒体１４１に書き込む。
【００４１】
音声を圧縮しない場合には、制御部１０１は、音声処理部１２１で生成された音声信号を画像処理部１１１で生成された圧縮画像信号に多重化して、記録再生部１４０に出力する。記録再生部１４０は、ＵＤＦ又はＦＡＴ等のファイルシステム管理のもとに、データストリームを一つの動画ファイルとして記録媒体１４１に書き込む。
【００４２】
この動画撮影（又は動画記録）の間、ユーザによる操作部１０２の操作と、画像処理部１１１により生成された画像信号の解析結果に応じて、制御部１０１は、撮像部１１０、画像処理部１１１及び音声処理部１２１を制御する。例えば、制御部１０１はレンズの移動や絞り調整などをさせるための制御信号を撮像部１１０に供給し、画像や音声を調整するための制御信号を画像処理部１１１及び音声処理部１２１に供給する。
【００４３】
撮影の間、ユーザは操作部１０２のズームキーを操作することで、制御部１０１に撮像部１１０の光学ズーム機能及び／又は画像処理部１１１の電子ズーム機能を動作させることができる。更には、制御部１０１は、不図示の振動検出部により検出される加速度値に基づいて、撮像部１１０の光学防振機能又は画像処理部１１１の電子防振機能を動作させる。
【００４４】
ユーザが操作部１０２の動画記録終了ボタンを操作すると、操作部１０２は、撮影終了の指示信号を制御部１０１に供給する。制御部１０１は、撮影終了指示信号に従い、撮像装置１００の各ブロックを以下のように制御して、記録動作を終了させる。
【００４５】
画像処理部１１１及び音声処理部１２１はそれぞれ、画像信号及び音声信号のメモリ１０４への供給を停止し、メモリ１０４に残る画像信号と音声信号とを読み出して符号化し、残りの圧縮画像信号と圧縮音声信号を生成する。制御部１０１は、これらの残りの圧縮画像信号と圧縮音声信号を多重してデータストリームを形成し、記録再生部１４０に出力する。音声を圧縮しない場合、制御部１０１は、音声処理部１２１により生成された音声信号と圧縮画像信号とを多重化して記録再生部１４０に出力する。
【００４６】
記録再生部１４０は、ＵＤＦ又はＦＡＴ等のファイルシステム管理のもとに、データストリームを一つの動画ファイルとして記録媒体１４１に書き込む。データストリームの終わりまで記録媒体１４１に書き込まれると、制御部１０１は、記録再生部１４０及び画像処理部１１１を制御してサムネイルを生成させる。すなわち、記録再生部１４０は記録媒体１４１に記録した動画ファイルの先頭フレームの圧縮画像信号を読み出し、画像処理部１１１に供給する。画像処理部１１１は、供給されたフレームの圧縮画像信号をメモリ１０４に一時記憶し、復号化する。画像処理部１１１は、復号化で得られた画像信号からサムネイル画像を生成して符号化する。これにより、サムネイル用圧縮画像信号が生成される。制御部１０１は、サムネイル用圧縮画像信号を記録再生部１４０に供給する。記録再生部１４０は、ＵＤＦ又はＦＡＴ等のファイルシステム管理のもとに、サムネイル用圧縮画像を基となる動画ファイルに結合するように記録媒体１４１に書き込む。これにより、動画ファイルが完成し、記録再生部１４０は記録動作を終了する。
【００４７】
制御部１０１は、各部の記録動作が終了したことを確認すると、順次、撮影待機状態に移行させる。
【００４８】
図２に示すフローチャートを参照して、ムービーダイジェストモードにおける撮影動作を説明する。制御部１０１は、内蔵するＲＯＭに記憶される制御プログラムにより図２に示すフローチャートに相当する制御動作を実行する。
【００４９】
ユーザが、操作部１０２によりムービーダイジェストモードへの遷移を指示すると、制御部１０１は、Ｓ２０１で上述の動画撮影処理を開始する。画像処理部１１１および音声処理部１２１で符号化された動画データ（圧縮画像データと圧縮音声データ）が、メモリ１０４に一時記憶される。
【００５０】
Ｓ２０２で、制御部１０１は、メモリ１０４に保存された動画データの秒数が所定秒数（所定記録時間）以上かどうかを判定する。制御部１０１は、所定秒数以上の場合、Ｓ２０４に進み、所定秒数未満の場合、Ｓ２０３へ進む。所定秒数は、メモリ１０４に一時記憶可能な動画データの秒数以下に設定される。Ｓ２０３で、制御部１０１は、メモリ１０４に記憶される動画データの中で最も古い動画データを破棄し、Ｓ２０４に進む。破棄する動画データの単位は秒単位でも、画面単位でも、動画圧縮形式のＧＯＰ（Ｇｒｏｕｐ  Ｏｆ  Ｐｉｃｔｕｔｒｅｓ）単位でもよい。このようにして、直近の所定秒数未満の動画データが、常時、メモリ１０４に保存される。
【００５１】
Ｓ２０４で、制御部１０１は、ユーザのカメラ操作の状態に基づき、メモリ１０４に記憶される動画データを破棄する破棄条件に該当するか否かを判定する。破棄条件に該当する場合、制御部１０１は、メモリ１０４に記憶される動画データを破棄し（Ｓ２０５）、Ｓ２０６に進む。破棄条件（Ｓ２０４）は、ユーザが明らかにフレーミング動作を行っていないと推測される事象の有無である。具体的には、例えば、外部装置通信部１５２への外部ストロボ接続、映像出力部１５０又は音声出力部１５１において外部モニタや外部スピーカの接続状態の変化の検出等である。
【００５２】
Ｓ２０６で、制御部１０１は、操作部１０２の静止画記録ボタン（レリーズボタン）が押されたか否かを判定する。静止画記録ボタンが押されたと判定した場合、制御部１０１は、Ｓ２０７に進み、否と判定した場合、Ｓ２０１に進む。
【００５３】
Ｓ２０７で、制御部１０１は、Ｓ２０１でメモリ１０４に記憶した動画データを記録媒体１４１に記録できるか否かを判定する。この記録判定では、メモリ１０４に記憶された動画データのデータサイズと、記録媒体１４１の空き容量からＳ２０９で撮影される静止画の見込みデータ量を削減した容量とを比較する。そして、制御部１０１は、動画データのデータサイズの方が小さいと判定した場合、記録可能と判定し、動画データのデータサイズの方が大きいと判定した場合、記録不可と判定する。また、制御部１０１は、メモリ１０４に記憶される動画データが所定秒数に満たない場合に記録不可と判定してもよい。制御部１０１は、記録可能と判定した場合はＳ２０８へ進み、記録不可と判定した場合、Ｓ２１１に進む。
【００５４】
Ｓ２０８で、制御部１０１は、記録媒体１４１に先に記録されている動画ファイルに、メモリ１０４に記憶される動画データを追加記録可能、すなわち追記可能か否かを判定する。制御部１０１は、追記可能と判定した場合にＳ２０９に進み、追記不可と判定した場合にＳ２１０へ進む。追記不可の典型例は、追記対象の動画ファイルが記録媒体１４１に記録されていない場合と、動画ファイルが記録媒体１４１に記録されているが保護されている場合である。
【００５５】
追記可能条件として例えば、制御部１０１は、追記対象の動画ファイルをチェックし、以下の何れかの条件に当てはまる場合に追記不可と判定する。第１に、保護属性を付与されている場合である。第２に、追記後の動画ファイルサイズが記録媒体１４１のファイルシステムの上限のデータサイズを越える場合である。第３に、ムービーダイジェストモードで撮影された動画ファイルでない場合である。第４に、撮影日が撮像装置１００に設定された日と異なる場合である。第５に、地域設定が撮像装置１００に設定された地域と異なる場合である。第６に、追記対象の動画ファイルを撮影した撮像装置の機種と追記を行う撮像装置の機種が異なる場合である。第７に、フレームレート、画素数、圧縮方法、音声のサンプリングレート若しくはチャンネル数、又はビット深度がメモリ１０４に記憶される動画データと異なる場合である。第８に、記録媒体１４１又は追記対象の動画ファイルが壊れているなどの原因により追記対象の動画ファイルを正常にチェックすることができなかった場合である。
【００５６】
Ｓ２０９で、制御部１０１は、記録媒体１４１の追記対象の動画ファイルにメモリ１０４に記憶される動画データを追記し、Ｓ２１１に進む。Ｓ２１０で、制御部１０１は、メモリ１０４に記憶される動画データを、新たに単独の動画ファイルとして記録媒体１４１に新規保存し、Ｓ２１１に進む。
【００５７】
そもそも記録媒体１４１に追記対象の動画ファイルが存在しない場合（Ｓ２０７）、制御部１０１は、ステップＳ２０８〜２１０を迂回して、Ｓ１１に進む。
【００５８】
Ｓ２１１で、制御部１０１は、前述した動作に従う静止画撮影処理を行い、静止画が記録媒体１４１に記録される。記録媒体１４１への静止画の記録の後、制御部１０１は、Ｓ２１２でレックレビューモードを設定する。レックレビューモードでは、先に説明したように、所定再生時間、直前に記録した静止画が再生され表示部１３０により表示される。
【００５９】
レックレビュー表示中にユーザが操作部１０２のレックレビュー継続ボタンを押下すると（Ｓ２１３）、制御部１０１は、所定再生時間に関わらずレックレビューモードを保持するレックレビューホールド状態に遷移する（Ｓ２１５）。レックレビューホールド状態になると、制御部１０１は、直前記録の静止画を再生している時間が所定再生時間を経過しても、静止画再生を継続する。但し、ユーザが、操作部１０２のレックレビュー解除ボタンを押下すると（Ｓ２１６）、制御部１０１は、レックレビューホールド状態を解除し、図２に示す処理を終了する。
【００６０】
レックレビュー継続ボタンを押下されること無しに（Ｓ２１３）、レックレビュー状態が所定再生時間を経過すると（Ｓ２１４）、制御部１０１は、レックレビューモードを解除し、図２に示す処理を終了する。レックレビューモードが解除されると、撮像装置１００は、自動的にスルー画像表示に戻る。
【００６１】
このように、本実施例では、レックレビューの再生時間が当初、制限されていても、ユーザの意図で延長できるので、直前に撮影記録した静止画の内容を仔細に確認できるようになる。
【００６２】
静止画の撮影に連動して所定記録時間の動画を記録している場合であっても、レックレビューモードでは静止画のみを再生する。すなわち、レックレビューモード又はレックレビューホールド状態での静止画再生中には、制御部１０１は、操作部１０２でユーザが関連する動画の再生を指示したとしても、そのような指示を無視する。
【００６３】
更には、制御部１０１は、ホールド前のレックレビュー状態ではレックレビュー継続ボタンのみを受け付け、レックレビューホールド状態でレックレビュー解除ボタンのみを受け付ける。これにより、不必要な動作モード遷移が生じない。レックレビュー状態とレックレビューホールド状態では、再生モードのように記録媒体１４１内の静止画ファイルまたは動画ファイルを順次表示することはできなくなる。また、レックレビュー状態又はレックレビューホールド状態での静止画再生中には、制御部１０１は、操作部１０２の動画ジャンプボタンでユーザが関連する動画の再生を指示したとしても、そのような指示を無視する。これにより、関連する動画の再生でユーザを混乱させることを防止できる。また、レックレビューモードの終了後に、関連する動画を自動再生することをしないので、これもまた、ユーザを混乱させることが無い。
【００６４】
関連する動画の再生を指示する操作のために特定の操作手段、ここでは動画ジャンプボタンを設ける代わりに、特定の操作手段の長押し等、他の操作と識別できる操作で代替することができる。例えば、レックレビューによる静止画表示中の、所定時間以上の関連動画再生操作に対して静止画に関連する動画を再生表示し、関連動画再生操作が所定時間未満のときには、関連する動画を表示しない。
【００６５】
図３は、ムービーダイジェストモードの動作説明図である。図３（ａ）は、レリーズ１〜５に対して記録される静止画Ｐ１〜Ｐ５と動画Ｍ１〜Ｍ５の時間関係を示す。図３（ｂ）は、図３（ａ）に対する記録媒体１４１に記録される静止画ファイルと動画ファイルの説明例である。
【００６６】
図３（ａ）に示すように、ムービーダイジェストモードでは、ユーザの行うレリーズ１〜５に対して、レリーズ１〜５の直後の静止画Ｐ１〜Ｐ５と、レリーズ１〜５の直前の所定記録時間の動画Ｍ１〜Ｍ５が互い関連付けて記録媒体１４１に記録される。すなわち、Ｐ１はレリーズ１の撮影指示に応じて撮影される静止画であり、Ｍ１は静止画Ｐ１に関連した動画である。同様にレリーズ２〜レリーズ５に応じて静止画Ｐ２〜Ｐ５が撮影され、関連した動画Ｍ２〜Ｍ５が撮影される。但し、レリーズ１〜３は２０１０年９月１５日に行われ、レリーズ４，５は２０１０年９月１６日に行われたとする。
【００６７】
図３（ａ）で説明した静止画Ｐ１〜Ｐ５および動画Ｍ１〜Ｍ５は、図３（ｂ）に示すように記録媒体１４１に記録される。すなわち、レリーズ１により撮影された動画Ｍ１は、記録媒体１４１内の撮影日を表すフォルダ”１００＿０９１５”に動画ファイル”ＭＤＧ＿０００１．ＭＯＶ”として保存される。一方同時に撮影された静止画Ｐ１は静止画ファイル”ＩＭＧ＿０００２．ＪＰＧ”として同フォルダに保存される。レリーズ２により撮影された動画Ｍ２は動画ファイル”ＭＤＧ＿０００１．ＭＯＶ”に追記される。一方、同時に撮影された静止画Ｐ２は静止画ファイル”ＩＭＧ＿０００３．ＪＰＧ”として同フォルダに保存される。レリーズ３により撮影された動画Ｍ３は動画ファイル”ＭＤＧ＿０００１．ＭＯＶ”に追記される。一方、同時に撮影された静止画Ｐ３は静止画ファイル”ＩＭＧ＿０００４．ＪＰＧ”として同フォルダに保存される。このように同一日で撮影された静止画と動画は同一フォルダに保存され、また動画は１ファイルに結合される。
【００６８】
レリーズ４により撮影された動画Ｍ４は、記録媒体１４１内の撮影日を表すフォルダ”１００＿０９１６”に動画ファイル”ＭＤＧ＿０００５．ＭＯＶ”として保存される。一方、同時に撮影された静止画Ｐ４は、静止画ファイル”ＩＭＧ＿０００６．ＪＰＧ”として同フォルダに保存される。ここで、動画Ｍ４は日付をまたいでいるが、関連する静止画Ｐ４と同一のフォルダに保存されることによってフォルダ単位での関連性を保つことができる。同様に、レリーズ５による動画Ｍ５は動画Ｍ４に追記され、静止画Ｐ５は別ファイルとして保存される。
【００６９】
本実施例では、対象となる静止画と同一フォルダ内に存在するファイル名プレフィックスがＭＤＧの動画ファイル”ＭＤＧ＿ＸＸＸＸ．ＭＯＶ”を関連動画として扱う。但し、公知のファイル間関連付け技術を用いても良い。
【００７０】
本実施例の再生モードの動作を説明する。操作部１０２により再生モードが設定されると、制御部１０１は、再生状態への移行を指示する制御信号を撮像装置１００の各ブロックに供給し、各ブロックは以下のように動作する。
【００７１】
記録再生部１４０は、記録媒体１４１に記録された静止画ファイル（圧縮画像信号）又は動画ファイル（圧縮画像信号と圧縮音声信号）を読み出す。制御部１０１は、読み出された圧縮画像信号と圧縮音声信号をそれぞれ画像処理部１１１及び音声処理部１２１に供給する。画像処理部１１１及び音声処理部１２１はそれぞれ、圧縮画像信号及び圧縮音声信号をメモリ１０４に一時記憶させ、所定の手順で復号化する。制御部１０１は、復号化した再生音声信号を音声出力部１５１に供給し、復号化した再生画像信号を映像出力部１５０又は表示制御部１３１に供給する。表示制御部１３１は、入力画像信号が示す画像を表示部１３０に表示させる。音声出力部１５１は、入力された音声信号を、内蔵スピーカから音響出力するか、接続されたイヤホン又はスピーカに出力する。
【００７２】
なお、非圧縮の音声信号の場合、制御部１０１は、記録再生部１４０からの非圧縮の音声信号を音声出力部１５１に供給する。
【００７３】
制御部１０１は、ユーザが操作部１０２により画像送り指示を入力する度に、記録媒体１４１内の静止画ファイル又は動画ファイルを上記の手順で順次再生又は順次表示する。再生モードにおいて静止画表示中に操作部１０２の動画ジャンプボタンが押下されると、制御部１０１は、表示中の静止画に関連付けされた動画が存在する場合に、関連付けされた動画を再生表示する。
【実施例２】
【００７４】
上記実施例では、レックレビューモード又はレックレビューホールド状態での静止画再生中での関連動画の再生の指示を無視したが、ユーザに確認ダイアログを提示して再生の要否の確認を求めるようにしてもよい。すなわち、制御部１０１は、レックレビューとしての静止画表示中の、動画ジャンプボタンによる関連動画再生指示に対し、動画再生への遷移の確認画面を表示部１３０に表示させる。図４はこのような確認表示の一例を示す。そして、ユーザが動画再生への遷移を改めて指示した場合に、動画再生に移行し、当該遷移を否定した場合には、静止画表示のままとする。
【００７５】
このように、明示的な確認操作をユーザに強いることにより、再生中の静止画と関連を有する動画を意図せず再生するようになってしまうことを防止できる。
【実施例３】
【００７６】
また、レックレビュー状態で動画ジャンプボタンが押下されても、関連動画の再生は行わないが、レックレビューホールド状態で動画ジャンプボタンが押下されると、関連動画の再生に遷移するようにしてもよい。関連動作の再生が終了すると、レックレビューホールド状態での静止画再生に復帰するので、ユーザが動作状態を混乱することがない。
【実施例４】
【００７７】
制御部１０１は、レックレビュー状態またはレックレビューホールド状態での動画ジャンプボタンの押下に対し、関連動画を再生表示すると共に、動画再生表示中を示すアイコンまたは文字列を動画像に重畳して表示する。図５は、そのような表示例を示す。この表示は再生モードで静止画再生から関連動画再生に遷移した場合には、図５に示すような表示を行わない。
【００７８】
図５に例示するような表示を採用することで、ユーザは、表示画面上で関連動画の再生かライブ画像（撮像部１１０で現に撮像中の画像）の表示かを容易に識別でき、両者の勘違いを効果的に防止できる。
【００７９】
本発明の実施例を説明したが、本発明はこれら特定の実施例に限られず、本発明の要旨を逸脱しない範囲の様々な形態も本発明に含まれる。例えば、図２を参照して説明した制御部１０１の機能は、単一のハードウエア／ソフトウエアでも、複数のハードウエア／ソフトウエアの組合せでも実現可能である。さらに、上述した各実施例は、適宜組み合わせることも可能である。
【００８０】
本発明は、撮像装置として製造販売される物に限定されず、他の装置と組み合わせて又は他の装置に組み込まれて製造販売される物にも適用され得ることはいうまでもない。例えば、本発明は、特許請求の範囲に規定される要件を充足する撮像装置を具備するパーソナルコンピュータ、ＰＤＡ、携帯端末装置及びゲーム機などに適用可能である。
【００８１】
本発明は、以下の処理を実行することによっても実現される。即ち、上述した実施例の機能を実現するソフトウエア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【図１】
2013258510.tif 000003
【図２】
2013258510.tif 000004
【図３】
2013258510.tif 000005
【図４】
2013258510.tif 000006
【図５】
2013258510.tif 000007